(57)【要約】【課題】学校や企業の制服として好適な被服に関するものであり、着用者の周囲を除菌することができ、且つ洗濯することも可能であり、さらに色落ちしない被服を提供することを目的とする。【解決手段】被服１は、小学校の制服であり、小児用の上着である。被服１は、前見頃２，３、後ろ見頃（図示せず）、右袖５、左袖６、ヨーク７、襟８及び前たて１５，１６によって構成され、これらが縫製されて作られたものである。左袖６に挿入空間２１が設けられている。挿入空間２１には、内張り３２が設けられている。挿入空間２１に、ガス放出部材１０が内蔵されている。【選択図】  図１
2012177209.tif 000002
【特許請求の範囲】
【請求項１】
外部に露出する表地を有する被服において、一部が外部と連通する挿入空間を有し、挿入空間と表地との間には遮蔽部材が設けられており、前記挿入空間内にガス放出部材が取り出し可能な状態で内蔵されており、ガス放出部材は自然環境下において殺菌効果又は滅菌効果を有するガスを放出する薬剤が袋詰めされたものであることを特徴とする被服。
【請求項２】
薬剤は、二酸化塩素を担体に担持させたものであることを特徴とする請求項１に記載の被服。
【発明の詳細な説明】
【技術分野】
【０００１】
本発明は被服に関するものであり、特に学校や企業の制服として好適なものである。本発明の被服は、着用者の周囲を除菌することができるものである。
【背景技術】
【０００２】
冬季になると、毎年の様にインフルエンザが流行する。特に学校の児童・生徒が集団感染する場合が多い。
その理由は、大勢の生徒が教室という一つの空間内で、長時間にわたってとどまるためである。即ち一人の感染者から放出される菌（ビールスを含む）が教室内おいて空気中に浮遊し、この菌が他の多くの生徒等の体内に侵入し、集団感染を引き起こす。
【０００３】
集団感染を防止する方策としては、教室内を加湿したり、教室内に消毒剤を噴霧する方策がある。
また特許文献１には、二酸化塩素ガスを無機質担体に吸着保持させ、当該無機質担体を入れたガラス容器を病室内につり下げることによってベッドや看護婦の着衣を消毒し、院内感染を防止する発明が開示されている。
【先行技術文献】
【特許文献】
【０００４】
【特許文献１】特開平６−２３３９８５号公報
【発明の概要】
【発明が解決しようとする課題】
【０００５】
特許文献１に開示された方策は、院内感染を防止する方策として有効であるが、学校や職場の事務所における集団感染を防止する方策としては不向きである。
即ち特許文献１に開示された方策は、ガラス容器から二酸化塩素ガスを放散させ、病室内を所定を二酸化塩素ガス濃度にして院内感染を防止するものである。そのため、病室内には、病院特有の消毒臭が漂う。病院においては、クレゾール等による消毒が日常的に行われるので、室内に多少の二酸化塩素ガス臭があったとしても、だれも気に留める者はいない。
【０００６】
しかしながら、学校や職場は、日常的に消毒される環境ではないので、消毒臭があると違和感を感じる。また学校や職場の事務所は、勉強や業務といった知的な行動をする場所であるから、違和感のある臭気に包まれると、著しく学習効果や作業効率が低下する。
【０００７】
そこで本発明者らは、被服の一部に殺菌性のガスを放出する部材を取り付けることを考えた。例えば、特許文献１に開示された様な、二酸化塩素ガスを担持させた無機質担体を幼稚園や小学校の制服の一部に取り付けた。
しかしながら、この被服は、致命的な欠陥があることが判明した。
即ち幼稚園児や小学校の学童は、休憩時間に体を使って遊ぶ。そのため幼稚園等の制服は、日常的に汚され、日常的に洗濯される。
しかしながら、多くの無機質担体は、洗濯によって吸水し膨潤してしまう。その結果、洗濯後は二酸化塩素ガスを放出することができなくなってしまう。
【０００８】
また、洗濯後に乾燥機で緩挿させると、無機質担体の膨潤は収まるが、加熱によって無機質担体に担持されていた二酸化塩素ガスが揮散してしまい、洗濯後に着用しても二酸化塩素ガスを放出しない。
要するに、被服の一部に殺菌性のガスを放出する部材を取り付けた被服は、洗濯に耐えず、制服には不向きである。
【０００９】
また殺菌性のガスは、染料を漂白してしまう場合が多い。そのため被服の一部に殺菌性のガスを放出する部材を取り付けると、被服が部分的に変色し、斑になってしまう。
【００１０】
そこで本発明は、上記した問題点に注目し、着用者の周囲を除菌することができ、且つ洗濯することも可能であり、さらに色落ちしない被服を提供することを目的とするものである。
【課題を解決するための手段】
【００１１】
上記した課題を解決するための請求項１に記載の発明は、外部に露出する表地を有する被服において、一部が外部と連通する挿入空間を有し、挿入空間と表地との間には遮蔽部材が設けられており、前記挿入空間内にガス放出部材が取り出し可能な状態で内蔵されており、ガス放出部材は自然環境下において殺菌効果又は滅菌効果を有するガスを放出する薬剤が袋詰めされたものであることを特徴とする被服である。
【００１２】
ここで「被服」とは、商標法施工規則別表に記載された商標の区分、第２５類の「被服」と同一の意味であり、上半身に着用するものに限らず、ズボン等の下半身に着用するものを含む概念である。
本発明の被服は、挿入空間を有し、挿入空間にガス放出部材が内蔵されている。そして当該ガス放出部材から殺菌効果等を有するガスが放出される。また挿入空間は、一部が外部と連通するから、ガス放出部材から放出されたガスは、外部に放出されることとなる。放出されたガスは、着用者の近傍に漂い、着用者の周囲に滅菌雰囲気又は殺菌雰囲気を作る。そのため着用者の近傍に近づいた菌は死滅あるいは活性が弱り、病気を感染させない。
本発明では、ガス放出部材はガスを放出する薬剤が袋詰めされたものである。そして本発明の被服では、ガス放出部材が取り出し可能な状態で挿入空間内に内蔵されている。そのため本発明では、洗濯を行う際にガス放出部材を取り外すことができ、ガス放出部材を外して被服だけを洗濯することができる。
さらに本発明の被服では、ガス放出部材が装着される挿入空間と、表地との間には遮蔽部材が設けられているから、ガスが表地に直接触れることが防がれる。
そのため被服の変色が防止される。なお遮蔽部材は、ガスを透過しにくい素材であることが望ましく、例えば、樹脂の板やシート、金属フィルム等であることが推奨される。
【００１３】
請求項２に記載の発明は、薬剤は、二酸化塩素を担体に担持させたものであることを特徴とする請求項１に記載の被服である。
【００１４】
担体の形状は、粒状やブロック状であってもよい。また布の様な面積を有するものであってもよい。
担体として固形物を採用する場合には、多孔質体であることが推奨される。
多孔質体の例としては、シリカゲル、アルミナゲル、シリカアルミナゲル、ゼオライト等が挙げられる。
【発明の効果】
【００１５】
本発明の被服は、殺菌効果又は滅菌効果を有するガスを放出し、放出されたガスは、着用者の近傍に漂って着用者の周囲に滅菌雰囲気又は殺菌雰囲気を作る。そのため着用者の近傍に近づいた菌は死滅あるいは活性が弱り、着用者に病気を感染させない。
また本発明の被服は、洗濯することができる。さらに本発明の被服は、変色しにくいという効果がある。
【図面の簡単な説明】
【００１６】
【図１】本発明の実施形態の被服の斜視図である。
【図２】図１の被服の袖部分の拡大斜視図である。
【図３】図２のＡ−Ａ断面図である。
【図４】図３の円部分の拡大図である。
【図５】図２のＢ−Ｂ断面図である。
【図６】図１の被服の袖部分を段階的に破断した断面斜視図てある。
【図７】ガス放出部材の斜視図である。
【図８】図７のガス放出部材の断面斜視図である。
【図９】本発明の他の実施形態の被服の袖部分の拡大斜視図である。
【発明を実施するための形態】
【００１７】
以下さらに本発明の実施形態について説明する。
本発明の実施形態の被服１は、小学校の制服であり、小児用の上着である。被服１は、公知のそれと同様に、前見頃２，３、後ろ見頃（図示せず）、右袖５、左袖６、ヨーク７、襟８及び前たて１５，１６によって構成され、これらが縫製されて作られたものである。
また被服１は前開きの構造を有し、前たて１５，１６にはボタンホール（図示せず）及びボタン２０が取り付けられている。
【００１８】
本実施形態に特有の構成として、左袖６に挿入空間２１が設けられている。挿入空間２１は、ポケットに似た構造であり、図２の様に左袖６の表地２３に切れ目２５が設けられ、表地２３の裏面側に裏布２７（図３，４，５）が縫製されたものである。
裏布２７は、略長方形の布であり、切れ目２５をすっぽりと覆い、且つ手首側に大きく広がっている。
裏布２７は、四辺が糸２６によって表地２３と縫合されている。
【００１９】
従って、表地２３と、裏布２７との間には正面視が長方形の空間（挿入空間２１）が形成されている。また外部と挿入空間２１との間は、表地２３の切れ目２５の部分でのみ連通している。
表地２３の切れ目２５の近傍には、ボタンホール２８が設けられている。また裏布２５の前記ボタンホール２８に対応する位置には、ボタン３０が取り付けられている。
【００２０】
表地２３と裏布２７によって形成される挿入空間２１には、内張り３２が設けられている。即ち表地２３には表側遮蔽シート３５が接着又は縫製によって取り付けられている。同様に、裏布２７の挿入空間２１側には、裏側遮蔽シート３６が接着又は縫製によって取り付けられている。
表側遮蔽シート３５及び裏側遮蔽シート３６は、樹脂又は金属のフィルムであり、ガスを通さない。即ち表側遮蔽シート３５及び裏側遮蔽シート３６は、遮蔽部材でありガスを遮蔽する機能を持っている。
【００２１】
本実施形態の被服１では、表地２３と裏布２７によって形成される挿入空間２１に、ガス放出部材１０が内蔵されている。
ガス放出部材１０は、開口を有しない袋１１に薬剤１２が封入されたものである。
ただし袋１１は、通気性を有している。即ち袋１１は、薬剤１２そのものがこぼれ出ることは阻止することができるが、ガスの通過を阻止することはできない。具体的には、袋１１は、布や不織布で作られている。
【００２２】
薬剤１２は、ゼオライトに二酸化塩素ガスを吸着保持させたものである。従って、常温・常圧の自然環境下において二酸化塩素ガスを徐々に放出する。ゼオライトは無機質担体であり、多孔質である。
また前記した様に袋１１は通気性を有するので、二酸化塩素ガスは袋１１を通過してガス放出部材１０から外部に放散される。
【００２３】
本実施形態では、ガス放出部材１０が挿入空間２１に挿入され、ガス放出部材１０が挿入空間２１から飛び出さないようにボタン３０が掛けられている。即ち裏布２７に設けられたボタン３０が表地２３のボタンホール２８に係合され、切れ目２５の部分が閉じられている。
ただし、ボタン３０は表地２３と裏布２７とを点接触させるものに過ぎないから、切れ目２５を完全に閉じることはできず、常時少しの隙間があいている。
【００２４】
本実施形態の被服１では、前記した様にガス放出部材１０から二酸化塩素ガスが放出され、被服１の挿入空間２１内に二酸化塩素ガスが充満する。そして挿入空間２１は、切れ目２５部分が少しだけ開口しているから、挿入空間２１内の二酸化塩素ガスは、当該開口部分から外に放出される。
そして被服１を着用した児童の周囲を滅菌雰囲気に保つ。そのため被服１を着用した児童は、インフルエンザ等に感染しない。
【００２５】
また被服１の表面は表地２３で作られているが、ガス放出部材１０と表地２３との間には遮蔽部材たる表側遮蔽シート３５が設けられているので、ガス放出部材１０から放出されたガスが表地２３に直接触れることはない。また本実施形態では、裏布２７側にも裏側遮蔽シート３６が設けられているから、児童が下に着込んだ服にもガスが直接触れることはない。
もちろん、児童が素肌に被服１を着たとしても、児童の肌にガスが直接触れることはない。
【００２６】
本実施形態の被服１を洗濯する場合には、ボタン３０を外して切れ目２５部分を開き、中のガス放出部材１０を取り出す。そしてこの状態では、被服１の本体部分だけを洗濯する。
洗濯が終わると、ガス放出部材１０を挿入空間２１に戻し、ボタン３０を掛けて切れ目２５部分を閉じる。またガス放出部材１０が劣化している場合は、新たなガス放出部材１０を挿入空間２１に入れる。
【００２７】
以上説明した実施形態では、切れ目２５をボタン３０で封鎖する構成を例示した。即ち本実施形態では、ボタン３０が挿入空間２１を封鎖する封鎖手段を構成している。この構成は、切れ目２５を完全に封鎖しない点で推奨される。同様の効果を有する閉止方法としては、ホックが挙げられる。
ボタン３０やホックの数は、複数であってもよい。
ファスナー４０（図９）は、ガスの放出路を確保しにくい点が欠点であるが、ファスナー４０の使用を排除するものではない。
閉止手段としてファスナー４１を使用する場合は、図９の様に、表地２３及び表側遮蔽シート３５に孔４２を設けてガスの放出路を確保することが望ましい。
【００２８】
以上説明した実施形態では、上半身に着用する被服を例にあげて本発明を説明したが、ズボンに挿入空間２１を設けることも可能である。
また挿入空間２１の位置は任意であり、前見頃２，３等に設けてもよい。
また挿入空間２１を内ポケットの如く構成し、挿入空間２１の出入口を被服の内側に形成してもよい。
【００２９】
また本実施形態では、殺菌効果又は滅菌効果を有するガスとして二酸化塩素ガスを採用したが、オゾンや塩素等の他のガスを使用することもできる。
本実施形態で採用する薬剤は、ガスを無機質担体に吸着保持させたものであるが、ガスが固体から昇華するものであってもよい。
遮蔽部材は、緻密な布であってもよい。
【符号の説明】
【００３０】
１    被服
１０  ガス放出部材
１１  袋
１２  薬剤
２１  挿入空間
２３  表地
２５  切れ目
２７  裏布
２８  ボタンホール
３０  ボタン
３２  内張り
３５  表側遮蔽シート（遮蔽部材）
３６  裏側遮蔽シート（遮蔽部材）
４１  ファスナー
４２  孔
【図１】
2012177209.tif 000003
【図２】
2012177209.tif 000004
【図３】
2012177209.tif 000005
【図４】
2012177209.tif 000006
【図５】
2012177209.tif 000007
【図６】
2012177209.tif 000008
【図７】
2012177209.tif 000009
【図８】
2012177209.tif 000010
【図９】
2012177209.tif 000011